(57)【要約】【課題】ユーザーに設置状態の切り替えを行わせることなしに、焦点位置を固定して使用する際には焦点位置の補正による焦点位置の移動を行わないようにする。【解決手段】  焦点位置を固定して使用していることを自動で判別し、焦点位置を固定して使用していることを判別した際には、焦点位置補正およびパルス信号の検出誤差をリセットする為の焦点位置の移動を行わない。【選択図】  図４
2012155055.tif 000002
【特許請求の範囲】
【請求項１】
フォーカスおよびズームの少なくとも１つを調整可能で画像を投写するレンズユニットと、
光源と、
前記光源からの光を画像に変換しレンズユニットに導く照明光学系および色分離合成系とを有する投写型画像表示装置において、
前記レンズユニット、前記照明光学系および前記色分離合成系の有する少なくとも１つの光学素子の温度変化に伴う焦点位置変動補正を行うか行わないかを切り替える手段を有することを特徴とする投写型画像表示装置。
【請求項２】
フォーカス動作についての履歴を記憶する手段を有することを特徴とする請求項１に記載の投写型画像表示装置。
【請求項３】
前回点灯から消灯までの間にフォーカス動作についての履歴によって、再点灯の際に焦点位置変動補正を行うか行わないかを切り替える手段を有することを特徴とする請求項１又は請求項２に記載の投写型画像表示装置。
【請求項４】
光学素子の温度についての履歴を記憶する手段を有することを特徴とする請求項１に記載の投写型画像表示装置。
【請求項５】
前回消灯時と今回点灯開始時の光学素子の温度差によって焦点位置変動補正を行うか行わないかを切り替える手段を有することを特徴とする請求項１又は請求項４に記載の投写型画像表示装置。
【請求項６】
消灯から再点灯までの時間を記憶する手段を有することを特徴とする請求項１に記載の投写型画像表示装置。
【請求項７】
前回消灯から今回の点灯までの時間よって焦点位置変動補正を行うか行わないかを切り替える手段を有することを特徴とする請求項１又は請求項６に記載の投写型画像表示装置。
【請求項８】
レンズ交換の履歴を記憶する手段を有することを特徴とする請求項１に記載の投写型画像表示装置。
【請求項９】
レンズ交換を行った履歴よって焦点位置変動補正を行うか行わないかを切り替える手段を有することを特徴とする請求項１又は請求項８に記載の投写型画像表示装置。
【請求項１０】
ランプ交換の履歴を記憶する手段を有することを特徴とする請求項１に記載の投写型画像表示装置。
【請求項１１】
ランプ交換を行った履歴よって焦点位置変動補正を行うか行わないかを切り替える手段を有することを特徴とする請求項１又は請求項１０に記載の投写型画像表示装置。
【請求項１２】
主電源の操作の履歴を記憶する手段を有することを特徴とする請求項１に記載の投写型画像表示装置。
【請求項１３】
主電源の操作の履歴よって焦点位置変動補正を行うか行わないかを切り替える手段を有することを特徴とする請求項１又は請求項１２に記載の投写型画像表示装置。
【発明の詳細な説明】
【技術分野】
【０００１】
本発明は、焦点位置補正機構を有する投写型画像表示装置の焦点位置補正アルゴリズムに関する。
【背景技術】
【０００２】
プロジェクタ等の投写型画像表示装置では、偏光変換素子等の光学素子によって光源からの光を画像に変換し、前記画像をレンズユニットによって拡大投写しスクリーン等の投写面に焦点を合わせている。前記光源が点灯している間は、前記プロジェクタ等の投写型画像表示装置の有する光学素子および光学素子保持部材は前記光源からの光を常に受けている状態となる。前記光の影響から、前記光学素子および光学素子保持部材には投写開始直後から温度上昇が生じる。前記温度上昇によって、前記光学素子は屈折率等の光学特性が変化し、また前記光学素子保持部材は線膨張によって伸縮が生じ前記光学素子の間隔が変化する。前記光学特性の変化および前記光学素子間隔の変化によって、前記スクリーン等の投写面合わせた焦点位置が投写開始直後から移動してしまう。前記焦点位置の移動が前記投写画像の深度内に収まっていれば問題とならないが、深度を超えると前記投写画像が劣化する為問題となる。
【０００３】
この問題に対して、前記焦点位置の移動に合わせて焦点位置を調整することで投写画像の劣化を回避する技術が知られている。例えば、特許文献１では、投写型画像表示装置内に温度センサを配置し、予め定めた焦点位置調整アルゴリズムと前記温度センサの検出結果から焦点位置の調整を行って投写画像の劣化を回避する技術が開示されている。
【０００４】
また、前記焦点位置の調整を行った後に電源を切り再点灯する際には、環境温度の変化や放熱によって前記光学素子および光学素子保持部材が電源を切った時の温度と異なっている場合があり、焦点位置を電源を切った時のままにしておくと画像が劣化してしまい問題となる。また、再点灯時に前回点灯時に焦点位置の調整を開始した位置まで焦点位置を移動しても、環境温度の変化や放熱によって前記光学素子および光学素子保持部材が前記焦点位置の調整を開始した時の温度と異なっている場合があり、やはり画像が劣化してしまい問題となる。この問題に対して、前記温度センサの前回点灯時に焦点位置補正を開始した際の検出結果と再点灯時の検出結果との差から焦点位置補正量を算出し、前回点灯時に焦点位置の調整を開始した位置から前記焦点位置補正量を加えた位置に焦点位置を移動することで前記画像の劣化を回避する技術がある。
【０００５】
また、焦点位置の調整の際には温度センサの測定誤差、焦点位置を移動するモータのバックラッシュ等の影響から焦点位置の移動には誤差が加算されている。前記誤差は焦点位置調整の度に積み上っていくと、再点灯を行う度に画像劣化が生じてしまい問題となる。この問題に対して、焦点位置の絶対置を検出する構成とし、前記焦点位置の調整量を移動量ではなく前記絶対置への移動とすることで前記誤差の積み上がりを回避する技術がある。
【先行技術文献】
【特許文献】
【０００６】
【特許文献１】特開２０００−１９６４８号公報
【発明の概要】
【発明が解決しようとする課題】
【０００７】
プロジェクタ等の投写型画像表示装置を天吊り等によって固定設置して使用する際には焦点位置も固定して使用する。この為、背景技術に記載のレンズユニットでは焦点位置の補正によって焦点位置が移動してしまい前記焦点位置を固定して使用している場合には問題となる。また、前記焦点位置の絶対値を検出する為に分解能、コストおよびスペースの点から、基準点を検出する為のスイッチと基準点からの移動量を検出する為にモータの出力軸にパルス板を取り付けパルス信号を用いる場合がある。この構成では頻繁に基準点検出を行いパルス信号の検出誤差をリセットしないと誤差が積み上がってしまう為、点灯の度に焦点位置をスイッチまで移動させ前記パルス信号の検出誤差をリセットする必要がある。しかし、前記焦点位置を固定して使用する際には、点灯の度に焦点位置が移動してしまう為やはり問題となる。
【課題を解決するための手段】
【０００８】
上記目的を達成するために、本発明では、焦点位置を固定して使用していることを自動で判別する手段を有し、焦点位置を固定して使用していることを判別した際には、焦点位置補正およびパルス信号の検出誤差をリセットする為の焦点位置の移動を行わない事を特徴とする。
【発明の効果】
【０００９】
本発明によれば、プロジェクタ等の投写型画像表示装置に焦点位置補正を持たせても、ユーザーに設置状態の切り替えを行わせることなしに、焦点位置を固定して使用する際には焦点位置の補正による焦点位置の移動を行わないプロジェクタ等の投写型画像表示装置が提供できるようになる。
【図面の簡単な説明】
【００１０】
【図１】本発明の実施例１および２である液晶プロジェクタの外観図。
【図２】実施例１のレンズユニットの分解斜視図。
【図３】実施例１のモーターユニットの分解斜視図。
【図４】実施例１のフローチャート。
【図５】実施例２のフローチャート。
【図６】実施例３のフローチャート。
【図７】実施例４のフローチャート。
【図８】実施例５のフローチャート。
【図９】実施例６のフローチャート。
【図１０】実施例７のフローチャート。
【図１１】実施例８のフローチャート。
【図１２】実施例９のフローチャート。
【図１３】実施例１０のフローチャート。
【図１４】実施例１１のフローチャート。
【図１５】実施例１２のフローチャート。
【発明を実施するための形態】
【００１１】
以下に、本発明の実施の形態を添付の図面に基づいて詳細に説明する。
【００１２】
［実施例１］
図１には、本発明の実施例１であるレンズユニット１００を備えたプロジェクタ３００の外観を示している。
【００１３】
プロジェクタ３００の液晶駆動回路には、パーソナルコンピュータ、ＤＶＤプレーヤ、テレビチューナ等の画像供給装置が接続されている。画像供給装置から入力された画像（映像）情報に基づいて、投写レンズ１００によって画像をスクリーンなどの被投写面に焦点を合わせて拡大投写している。
【００１４】
またプロジェクタ３００は、光学素子および光学素子保持部材の温度変化による焦点位置移動を調整する機構を有している。
【００１５】
図２には、本実施例のレンズユニット１００の分解斜視図を示す。
【００１６】
１０１は第１レンズ群を保持した第１鏡筒である。１０２は第２レンズ群を保持した２群鏡筒である。１０３は第３レンズ群を保持した第３鏡筒である。１０４は第４レンズ群を保持した第４鏡筒、１０５は第５レンズ群を保持した第５鏡筒である。１０６は第６レンズ群を保持した第６鏡筒である。
【００１７】
１０７は鏡筒本体としての固定筒である。該固定筒１０７の光軸方向後端部（第６鏡筒側の端部）の位置には、前述した光学ボックスにビス止めされるマウント部（フランジ部）１０７Ｂが形成されている。
【００１８】
１０８は固定筒１０７の内周のうちマウント部よりも前側（第１鏡筒側）の領域に配置され、光軸回りで回転する第１の回転環としてのカム環である。１１０は固定筒１０７の外周のうちマウント部よりも前側（第１鏡筒側）の領域に配置され、光軸回りで回転する第２の回転環としてのフォーカス環である。１０９は第１〜第５鏡筒１０１〜１０５にビスで取り付けられたカムフォロアである。カムフォロア１０９が取り付けられた第１鏡筒１０１は固定筒１０７の端部（第１鏡筒側）にカムフォロア１０９を介して固定される。カムフォロア１０９が取り付けられた第２鏡筒１０２はフォーカス環１１０に形成されたカム溝に係合する。カムフォロア１０９が取り付けられた第３〜５の鏡筒１０３〜１０５はそれぞれカム環１０８に形成されたカム溝に係合する。１１１はギア部有するしカム環１０８の第１鏡筒側に取り付けられているズーム環である。
【００１９】
１１２はアクチュエータとしてのモータユニットである。該モータユニットは、ステッピングモータ、ＤＣモータ、振動型モータ等のモータ本体と、該モータ本体の回転を減速して出力する減速ギヤボックスと、モータの駆動を回転角として表す為のパルス板と前記回転角の検出結果をパルス信号として出力する為のフォトインタラプタを保持した基板とを含む。モータユニット１１２はフォーカス駆動源およびズーム駆動源である。１１４はフォーカス環１１０が光軸周りに回転した際の焦点位置の基準を検出する為のスイッチである。１１３はモータ１１２およびスイッチ１１４を保持する保持部材である。モータ１１２およびスイッチ１１４はビスにより保持部材１１３に固定される。そして、保持部材１１３はビスにより固定筒１０７に固定される。
【００２０】
第２鏡筒１０２はフォーカスレンズである。ここでフォーカス駆動機構について説明する。第２鏡筒１０２の外周における周方向１２０°毎の３箇所には、カムフォロア１０９が取り付けられている。第２鏡筒１０２に設けられたカムフォロア１０９は、固定筒１０７に光軸方向に延びるように形成された直進溝部１０７Ａに係合する。さらに、フォーカス環１１０に形成されたカム溝部にも係合する。
【００２１】
また、フォーカス環１１０は、固定筒１０７に対してバヨネット結合構造等によって光軸方向への移動が阻止された状態で光軸回りで回転可能となっている。
【００２２】
フォーカス環１１０と噛み合ったモータユニット１１２を駆動すると、フォーカス環１１０が回転駆動される。フォーカス環１１０が回転すると、カム溝部とカムフォロア１０９との係合作用によって、第２鏡筒１０２が光軸方向に移動する。これにより、電動フォーカス駆動が行われる。
【００２３】
第６鏡筒１０６は、第６レンズ群としてのリレー系レンズを保持しており、固定筒１０７の後端部にスラスト方向からビス（図示せず）により固定される。
【００２４】
第２鏡筒１０２，第３鏡筒１０３，第４鏡筒１０４および第５鏡筒１０５はそれぞれ、第２〜第５レンズ群としての変倍系レンズを保持する。第２鏡筒１０２，第３鏡筒１０３，第４鏡筒１０４および第５鏡筒１０５が光軸方向に移動することで、変倍（ズーム）が行われる。
【００２５】
ここで、ズーム駆動機構について説明する。第２鏡筒１０２，第３鏡筒１０３，第４鏡筒１０４および第５鏡筒１０５の外周における周方向１２０°毎の３箇所には、カムフォロア１０９が取り付けられている。これら鏡筒１０２〜１０４に設けられたカムフォロア１０９は、固定筒１０７に光軸方向に延びるように形成された直進溝部１０７Ａに係合する。さらに、カム環１０８に形成された第２，第３および第４カム溝部１０８Ａ，１０８Ｂ，１０８Ｃにも係合する。
【００２６】
また、カム環１０８の端部（第１鏡筒側）には、これと一体回転可能にズーム環１１１が取り付けられている。カム環１０８は、固定筒１０７に対してバヨネット結合構造等によって光軸方向への移動が阻止された状態で光軸回りで回転可能となっている。
【００２７】
ズーム環１１１と噛み合ったモータユニット１１２を駆動すると、ズーム環１１１が回転駆動される。ズーム環１１１が回転すると、これと一体的にカム環１０８が固定筒１０７に対して光軸回りで定位置回転する。カム環１０８が回転すると、カム溝部１０８Ａ，１０８Ｂ，１０８Ｃとカムフォロア１０９との係合作用によって、第２，第３および第４鏡筒１０２〜１０４が光軸方向に移動する。これにより、電動ズーム駆動が行われる。
【００２８】
次に、モータユニット１１２について図３を用いて説明する。モータユニット１１２は、モータ本体１１２Ａと、該モータ本体の回転を減速して出力する減速ギヤボックス１１２Ｂと、モータの駆動を回転角で表す為のパルス板１１２Ｃと前記回転角をパルス信号として検出する為のフォトインタラプタを保持した基板１１２Ｄを有する。
【００２９】
モータ本体１１２Ａの出力ギアと減速ギアボックス１１２Ｂの入力ギアは噛み合い取り付けられている。これによりモータ本体１１２Ａの出力トルクおよび回転速度は減速ギアボックス１１２Ｂで意図する出力トルクおよび回転速度に変換されてフォーカス環１１０およびズーム環１１１と噛み合っている減速ギアボックス１１２Ｂの出力ギアへと伝達される。また、モータ本体１１２Ａの出力軸には円板形状で周方向に一定の位相毎に切り欠きを有するパルス板１１２Ｃが取り付けられている。モータ本体１１２Ａが駆動するとパルス板１１２Ｃも回転する。この為、パルス板１１２Ｃの前記切り欠きを有する径の任意１点を見ると、切り欠きの有る無しでモータ本体１１２Ａの回転角を検出することが出来る。減速ギアボックス１１２Ｂには前記切り欠きの有る無しを読み取れる様にフォトインタラプタが取り付いた基板１１２Ｄが取り付けられており、フォトインタラプタが取り付いた基板１１２Ｄは記切り欠きの有る無しをパルス信号として出力する。
【００３０】
本実施例のレンズユニット１００は、フォトインタラプタが取り付いた基板１１２Ｄの出力から焦点位置の相対値を検出し、点灯の度にスイッチ１１４が作動するまで焦点位置を移動することで焦点位置の基準を検出する。前記焦点位置の基準と前記焦点位置の相対値とを組み合わせることで略絶対値として焦点位置を検出することが出来る。また、点灯の度に焦点位置の基準を検出すること、バックラッシュ等の焦点位置調整の誤差をリセットする為、十分な焦点位置の絶対値を検出できなくても焦点位置が深度を外れることはない。
【００３１】
図４には、本実施例の焦点位置補正を行うか判別するアルゴリズムのフローチャートを示す。
【００３２】
焦点位置の基準を検出す為の焦点位置の移動および焦点位置の調整を行うか判別するアルゴリズムはプロジェクタ３００の点灯開始と同時に開始する。まず、前回点灯時にユーザーが焦点位置を移動した履歴の有無を確認する。前記履歴がある場合には、スイッチ１１４が作動するまで焦点位置を移動して焦点位置の基準を検出し、焦点位置の基準を検出す為の焦点位置の移動および焦点位置の調整を開始する。前記履歴がない場合には、焦点位置の基準を検出す為の焦点位置の移動および焦点位置の調整を行わない。
【００３３】
上記構成およびアルゴリズムによって、ユーザーが焦点位置を合わせた際には光学素子および光学素子保持部材に温度変化が生じても画像劣化が生じず、天吊り等の焦点位置を固定して使用する際には焦点位置が移動しないプロジェクタを提供出来る様になる。
【００３４】
［実施例２］
本発明の実施例２では、実施例１に記載のフォトインタラプタが取り付いた基板１１２Ｄからの焦点位置の相対値と、スイッチ１１４からの焦点位置の基準とを組み合わせることで焦点位置の略絶対値を検出する変わりに焦点位置の絶対位置を検出する構成としている。
【００３５】
図５には、本実施例の焦点位置補正を行うか判別するアルゴリズムのフローチャートを示す。
【００３６】
焦点位置補正を行うか判別するアルゴリズムはプロジェクタ３００の点灯開始と同時に開始する。まず、前回点灯時にユーザーが焦点位置を移動した履歴の有無を確認する。前記履歴がある場合には、焦点位置の調整を開始する。前記履歴がない場合には焦点位置の調整を行わない。
【００３７】
上記構成およびアルゴリズムによって、ユーザーが焦点位置を合わせた際には光学素子および光学素子保持部材に温度変化が生じても画像劣化が生じず、天吊り等の焦点位置を固定して使用する際には焦点位置が移動しないプロジェクタを提供出来る様になる。
【００３８】
［実施例３］
本発明の実施例３では、実施例１と同じ構成としている。
【００３９】
図６には、本実施例の焦点位置補正を行うか判別するアルゴリズムのフローチャートを示す。
【００４０】
焦点位置の基準を検出す為の焦点位置の移動および焦点位置の調整を行うか判別するアルゴリズムはプロジェクタ３００の点灯開始と同時に開始する。まず、前回消灯時とを今回点灯開始時の温度差を確認する。温度差が５℃以上ある場合には、焦点位置の基準を検出す為の焦点位置の移動および焦点位置の調整を開始する。温度差が５℃未満の場合には焦点位置の基準を検出す為の焦点位置の移動および焦点位置の調整を行わない。
【００４１】
上記構成およびアルゴリズムによって、ユーザーが焦点位置を合わせた際には光学素子および光学素子保持部材に温度変化が生じても画像劣化が生じず、天吊り等の焦点位置を固定して使用する際には焦点位置が移動しないプロジェクタを提供出来る様になる。
【００４２】
［実施例４］
本発明の実施例４では、実施例２と同じ構成としている。
【００４３】
図７には、本実施例の焦点位置補正を行うか判別するアルゴリズムのフローチャートを示す。
【００４４】
焦点位置補正を行うか判別するアルゴリズムはプロジェクタ３００の点灯開始と同時に開始する。まず、前回消灯時とを今回点灯開始時の温度差を確認する。温度差が５℃以上ある場合には、焦点位置の調整を開始する。温度差が５℃未満の場合には焦点位置の調整を行わない。
【００４５】
上記構成およびアルゴリズムによって、ユーザーが焦点位置を合わせた際には光学素子および光学素子保持部材に温度変化が生じても画像劣化が生じず、天吊り等の焦点位置を固定して使用する際には焦点位置が移動しないプロジェクタを提供出来る様になる。
【００４６】
［実施例５］
本発明の実施例５では、実施例１と同じ構成としている。
【００４７】
図８には、本実施例の焦点位置補正を行うか判別するアルゴリズムのフローチャートを示す。
【００４８】
焦点位置の基準を検出す為の焦点位置の移動および焦点位置の調整を行うか判別するアルゴリズムはプロジェクタ３００の点灯開始と同時に開始する。まず、前回消灯から今回の点灯までの時間を確認する。時間が２週間以上の場合には、焦点位置の基準を検出す為の焦点位置の移動および焦点位置の調整を開始する。時間が２週間未満の場合には焦点位置の基準を検出す為の焦点位置の移動および焦点位置の調整を行わない。
【００４９】
上記構成およびアルゴリズムによって、ユーザーが焦点位置を合わせた際には光学素子および光学素子保持部材に温度変化が生じても画像劣化が生じず、天吊り等の焦点位置を固定して使用する際には焦点位置が移動しないプロジェクタを提供出来る様になる。
【００５０】
［実施例６］
本発明の実施例６では、実施例２と同じ構成としている。
【００５１】
図９には、本実施例の焦点位置補正を行うか判別するアルゴリズムのフローチャートを示す。
【００５２】
焦点位置補正を行うか判別するアルゴリズムはプロジェクタ３００の点灯開始と同時に開始する。まず、前回消灯から今回の点灯までの時間を確認する。時間が２週間以上の場合には、焦点位置の調整を開始する。時間が２週間未満の場合には焦点位置の調整を行わない。
【００５３】
上記構成およびアルゴリズムによって、ユーザーが焦点位置を合わせた際には光学素子および光学素子保持部材に温度変化が生じても画像劣化が生じず、天吊り等の焦点位置を固定して使用する際には焦点位置が移動しないプロジェクタを提供出来る様になる。
【００５４】
［実施例７］
本発明の実施例７では、実施例１と同じ構成としている。
【００５５】
図１０には、本実施例の焦点位置補正を行うか判別するアルゴリズムのフローチャートを示す。
【００５６】
焦点位置の基準を検出す為の焦点位置の移動および焦点位置の調整を行うか判別するアルゴリズムはプロジェクタ３００の点灯開始と同時に開始する。まず、前回消灯から今回の点灯までの間のレンズ交換履歴の有無を確認する。履歴が有る場合には、焦点位置の基準を検出す為の焦点位置の移動および焦点位置の調整を開始する。履歴が無い場合には焦点位置の基準を検出す為の焦点位置の移動および焦点位置の調整を行わない。
【００５７】
上記構成およびアルゴリズムによって、ユーザーが焦点位置を合わせた際には光学素子および光学素子保持部材に温度変化が生じても画像劣化が生じず、天吊り等の焦点位置を固定して使用する際には焦点位置が移動しないプロジェクタを提供出来る様になる。
【００５８】
［実施例８］
本発明の実施例８では、実施例２と同じ構成としている。
【００５９】
図１１には、本実施例の焦点位置補正を行うか判別するアルゴリズムのフローチャートを示す。
【００６０】
焦点位置補正を行うか判別するアルゴリズムはプロジェクタ３００の点灯開始と同時に開始する。まず、前回消灯から今回の点灯までの間のレンズ交換履歴の有無を確認する。履歴が有る場合には、焦点位置の調整を開始する。履歴が無い場合には焦点位置の調整を行わない。
【００６１】
上記構成およびアルゴリズムによって、ユーザーが焦点位置を合わせた際には光学素子および光学素子保持部材に温度変化が生じても画像劣化が生じず、天吊り等の焦点位置を固定して使用する際には焦点位置が移動しないプロジェクタを提供出来る様になる。
【００６２】
［実施例９］
本発明の実施例９では、実施例１と同じ構成としている。
【００６３】
図１２には、本実施例の焦点位置補正を行うか判別するアルゴリズムのフローチャートを示す。
【００６４】
焦点位置の基準を検出す為の焦点位置の移動および焦点位置の調整を行うか判別するアルゴリズムはプロジェクタ３００の点灯開始と同時に開始する。まず、前回消灯から今回の点灯までの間のランプ交換履歴の有無を確認する。履歴が有る場合には、焦点位置の基準を検出す為の焦点位置の移動および焦点位置の調整を開始する。履歴が無い場合には焦点位置の基準を検出す為の焦点位置の移動および焦点位置の調整を行わない。
【００６５】
上記構成およびアルゴリズムによって、ユーザーが焦点位置を合わせた際には光学素子および光学素子保持部材に温度変化が生じても画像劣化が生じず、天吊り等の焦点位置を固定して使用する際には焦点位置が移動しないプロジェクタを提供出来る様になる。
【００６６】
［実施例１０］
本発明の実施例１０では、実施例２と同じ構成としている。
【００６７】
図１３には、本実施例の焦点位置補正を行うか判別するアルゴリズムのフローチャートを示す。
【００６８】
焦点位置補正を行うか判別するアルゴリズムはプロジェクタ３００の点灯開始と同時に開始する。まず、前回消灯から今回の点灯までの間のランプ交換履歴の有無を確認する。履歴が有る場合には、焦点位置の調整を開始する。履歴が無い場合には焦点位置の調整を行わない。
【００６９】
上記構成およびアルゴリズムによって、ユーザーが焦点位置を合わせた際には光学素子および光学素子保持部材に温度変化が生じても画像劣化が生じず、天吊り等の焦点位置を固定して使用する際には焦点位置が移動しないプロジェクタを提供出来る様になる。
【００７０】
［実施例１１］
本発明の実施例１１では、実施例１と同じ構成としている。
【００７１】
図１４には、本実施例の焦点位置補正を行うか判別するアルゴリズムのフローチャートを示す。
【００７２】
焦点位置の基準を検出す為の焦点位置の移動および焦点位置の調整を行うか判別するアルゴリズムはプロジェクタ３００の点灯開始と同時に開始する。まず、前回消灯から今回の点灯までの間の主電源の操作についての履歴の有無を確認する。履歴が有る場合には、焦点位置の基準を検出す為の焦点位置の移動および焦点位置の調整を開始する。履歴が無い場合には焦点位置の基準を検出す為の焦点位置の移動および焦点位置の調整を行わない。
上記構成およびアルゴリズムによって、ユーザーが焦点位置を合わせた際には光学素子および光学素子保持部材に温度変化が生じても画像劣化が生じず、天吊り等の焦点位置を固定して使用する際には焦点位置が移動しないプロジェクタを提供出来る様になる。
【００７３】
［実施例１２］
本発明の実施例１２では、実施例２と同じ構成としている。
【００７４】
図１５には、本実施例の焦点位置補正を行うか判別するアルゴリズムのフローチャートを示す。
【００７５】
焦点位置補正を行うか判別するアルゴリズムはプロジェクタ３００の点灯開始と同時に開始する。まず、前回消灯から今回の点灯までの間の主電源の操作についての履歴の有無を確認する。履歴が有る場合には、焦点位置の調整を開始する。履歴が無い場合には焦点位置の調整を行わない。
【００７６】
上記構成およびアルゴリズムによって、ユーザーが焦点位置を合わせた際には光学素子および光学素子保持部材に温度変化が生じても画像劣化が生じず、天吊り等の焦点位置を固定して使用する際には焦点位置が移動しないプロジェクタを提供出来る様になる。
【符号の説明】
【００７７】
１００  投写レンズ
１００ａ  投写レンズの光軸
１０１から１０６  第１〜第６鏡筒
１０７  固定筒
１０７Ａ  レンズ鏡筒用案内溝
１０８  カム環
１０８Ａ，１０８Ｂ，１０８Ｃ，１０８Ｄ  カム溝
１０９  ２、３、４、５群用カムフォロア
１１０  フォーカス環
１１１  ズーム環
１１２  モーター
１１２Ａ  モーター本体
１１２Ｂ  減速ギアボックス
１１２Ｃ  パルス板
１１２Ｄ  フォトインタラプタが取り付いた基板
１１３  モータベース
１１４  スイッチ
３００  プロジェクタ
【図１】
2012155055.tif 000003
【図２】
2012155055.tif 000004
【図３】
2012155055.tif 000005
【図４】
2012155055.tif 000006
【図５】
2012155055.tif 000007
【図６】
2012155055.tif 000008
【図７】
2012155055.tif 000009
【図８】
2012155055.tif 000010
【図９】
2012155055.tif 000011
【図１０】
2012155055.tif 000012
【図１１】
2012155055.tif 000013
【図１２】
2012155055.tif 000014
【図１３】
2012155055.tif 000015
【図１４】
2012155055.tif 000016
【図１５】
2012155055.tif 000017